(57)【要約】【課題】  使用開始前に予め分離して収容されている第１成分と第２成分とを使用時に誤って異なるものを組み付けたり、一方が組み付けられていない状態で使用してしまうような誤使用がなく、コンパクトな構成で、十分溶解された状態で使用することができ、異音などの発生がなく、さらには混合成分の略全量を使用することが可能な用時混合容器を提供する。【解決手段】  第１成分Ａが収容された第１成分収容部１０と、第２成分Ｂが収容された第２成分収容部３０とを直線的に移動可能に配置し、栓部材５０を介在させることにとり使用開始前には、第１成分Ａと第２成分Ｂとを分離して収容し、使用に際して、前記第１成分収容部１０を第２成分収容部２０方向に移動させることによって栓部材による封止を解除し、第１成分Ａと第２成分Ｂとを混合させ、これに伴って栓部材の上方側に混合成分を押しやって混合成分を一箇所に集合させ、この状態からスプレー部材７０を押圧させることにより、混合成分を噴出させるように構成した。【選択図】  図１
2006335417.tif 000002
【特許請求の範囲】
【請求項１】
第１成分を収容する第１成分収容部と、
前記第１成分収容部の底口部内部に嵌合係止され、底部に第２成分を収容する第２成分収容部と、
前記第１成分収容部の上口部に装着されたスプレー部材と、
前記スプレー部材の内部に、前記スプレー部材の噴射口に連通するように前記スプレー部材より下方に延設するように設けられた混合成分吸い上げ管と、
前記混合成分吸い上げ管を囲うように前記第１成分収容部の上口部より下方に延設された筒状の延設部と、
前記第２成分収容部内に嵌合係止された栓部材と、
前記第２成分収容部の底部側で前記栓部材が収容される栓部材収容凹部と、を備え、
使用に際して、前記第１成分収容部を前記第２成分収容部の上口部に沿って第２成分収容部方向に移動させることによって、前記第１成分収容部に延設された前記延設部が、前記第２成分収容部内に嵌合係止された前記栓部材を下方に押圧して移動離脱させ、
これにより、前記第１成分収容部と前記第２成分収容部との間に流通通路が形成され、この流通通路を介して前記第１成分と前記第２成分とを前記第２成分収容部内で混合するとともに、
さらに前記第１成分収容部を前記第２成分収容部の上口部に沿って第２成分収容部方向に移動させることによって、
前記第１成分収容部に延設された前記延設部が、前記第２成分収容部内の前記栓部材を下方に押圧して移動させ、前記第２成分収容部の底部に形成された前記栓部材収容凹部に前記栓部材を収容して移動不能とし、
これにより、前記第２成分収容部内で混合された第１成分と第２成分の混合成分を、前記混合成分吸い上げ管を介して噴射できるよう構成されていることを特徴とする用時混合容器。
【請求項２】
前記第１成分収容部を、前記第２成分収容部の上口部に沿って第２成分収容部方向に移動させた最終位置において、
前記栓部材が、前記栓部材収容凹部に収容されると、
前記栓部材収容凹部内に流入された前記第１成分と前記第２成分との混合成分が、前記栓部材収容凹部に収容された前記栓部材より上方へ押し上げられ、
これにより、前記第２成分収容部内で混合された第１成分と第２成分の混合成分を、前記混合成分吸い上げ管を介して噴射できるよう構成されていることを特徴とする請求項１に記載の用時混合容器。
【請求項３】
前記第１成分収容部に延設された前記延設部の下端部に、
スペーサー部材が設けられていることを特徴とする請求項１または２に記載の用時混合容器。
【請求項４】
前記第２成分収容部に、前記第２成分収容部の上口部より内方に向かって内方折り返し部が延設されていることを特徴とする請求項１から３のいずれかに記載の用時混合容器。
【請求項５】
前記第２成分収容部内に延設された前記内方折り返し部内に、前記栓部材が嵌合係止されていることを特徴とする請求項１から４のいずれかに記載の用時混合容器。
【請求項６】
前記第１成分収容部から延設された前記延設部の下端部に設けられた前記スペーサー部材の外壁面が、前記第２成分収容部に延設された前記内方折り返し部に嵌合係止され、これにより前記第１成分収容部内に収容された第１成分が液密に封止されることを特徴とする請求項１から５のいずれかに記載の用時混合容器。
【請求項７】
前記第２成分収容部の底部に、底栓部材が嵌着自在に設けられていることを特徴とする請求項１から６のいずれかに記載の用時混合容器。
【請求項８】
前記底栓部材の上面略中央部に、前記栓部材を収容する栓部材収容凹部が形成されていることを特徴とする請求項７に記載の用時混合容器。
【請求項９】
前記第１成分収容部を、前記第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるよう、
前記延設部の下端部が前記栓部材に当接するように構成されていることを特徴とする請求項１から８のいずれかに記載の用時混合容器。
【請求項１０】
前記第１成分収容部を、第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるように、前記延設部の下端側に設けられた前記スペーサー部材の下端部が、前記栓部材に当接するように構成されていることを特徴とする請求項１から８のいずれかに記載の用時混合容器。
【請求項１１】
前記栓部材と前記栓部材収容凹部とが、略同形状であることを特徴とする請求項１から１０のいずれかに記載の用時混合容器。
【請求項１２】
前記栓部材が、上面にテーパー状凹部を備えることを特徴とする請求項１から１１のいずれかに記載の用時混合容器。
【請求項１３】
前記栓部材が前記栓部材収容凹部に収容された状態において、
前記栓部材収容凹部の端部に、前記栓部材の端部から略同一形状の凹部を形成するテーパー状部が連続して形成されていることを特徴とする請求項１から１２のいずれかに記載の用時混合容器。
【請求項１４】
前記第１成分収容部を前記第２成分収容部の上口部に沿って第２成分収容部方向に移動させた最終位置において、
前記栓部材が前記栓部材収容凹部に収容され、前記栓部材収容凹部内に流入された前記第１成分と前記第２成分との混合成分が、前記栓部材収容凹部に収容された前記栓部材より上方へ確実に押し上げられるよう、前記栓部材収容凹部の壁面に、混合成分流通溝部が形成されていることを特徴とする請求項１から１３のいずれかに記載の用時混合容器。
【請求項１５】
前記第１成分収容部を、第２成分収容部の上口部に沿って第２成分収容部方向に移動させた際に、
前記栓部材が確実に前記栓部材収容凹部に収容されるよう前記第２成分収容部の内壁部に、所定間隔離間して複数の案内リブが設けられていることを特徴とする請求項１から１４のいずれかに記載の用時混合容器。
【請求項１６】
前記第１成分収容部の下方に、
前記第１成分収容部を前記第２成分収容部の外周壁との間で案内する略筒状の第１成分案内部が備えられていることを特徴とする請求項１から１５のいずれかに記載の用時混合容器。
【請求項１７】
前記第１成分収容部と前記第１成分案内部とが、
切り離し自在に一体成形されてなることを特徴とする請求項１６に記載の用時混合容器。
【請求項１８】
前記第１成分収容部の肩部と前記第２成分収容部の上口部との間の外周に、
使用開始前に前記第１成分収容部が前記第２成分収容部の上口部に沿って、前記第２成分収容部方向に移動することを防止するストッパー部材が着脱自在に設けられていることを特徴とする請求項１から１７のいずれかに記載の用時混合容器。
【請求項１９】
前記スプレー部材を上口部に装着した前記第１成分収容部の外方に、
着脱自在に装着されたキャップが備えられていることを特徴とする請求項１から１８のいずれかに記載の用時混合容器。
【請求項２０】
第１成分を収容する延設部を上口部に備える第１成分収容部と、
前記延設部と前記第１成分収容部の内壁に嵌合係止され、底部に第２成分を収容する第２成分収容部と、
前記第１成分収容部の上口部に装着されたスプレー部材と、
前記スプレー部材の内部に、前記スプレー部材の噴射口に連通するようにスプレー部材より下方に延設されるとともに、前記第１成分収容部の延設部内を通過するように設けられた混合成分吸い上げ管と、
前記第２成分収容部内に嵌合係止された栓部材と、
前記第２成分収容部の底部に前記栓部材を収容するための栓部材収容凹部と、を備え、
前記第１成分が、前記栓部材の上方であるとともに前記延設部の下端部に収容され、
使用に際して、前記第１成分収容部を前記第２成分収容部の上口部に沿って、第２成分収容部方向に移動させることによって、
前記第１成分収容部に延設された前記延設部が、前記第２成分収容部内に嵌合係止された前記栓部材を下方に押圧して移動離脱させ、
これにより、前記第１成分収容部に収容した第１成分と、前記第２成分収容部に収容した第２成分とを、前記第１成分収容部に形成された流通開口部を介して前記第２成分収容部内で混合するとともに、
さらに前記第１成分収容部を前記第２成分収容部に沿って、第２成分収容部方向に移動させることによって、
前記第１成分収容部に延設された前記延設部が、前記第２成分収容部内の前記栓部材を下方に押圧して移動させ、前記第２成分収容部の底部に形成された前記栓部材収容凹部に前記栓部材を収容して移動不能とし、
これにより、前記第２成分収容部内で混合された第１成分と第２成分の混合成分を、前記混合成分吸い上げ管を介して噴射できるよう構成されていることを特徴とする用時混合容器。
【請求項２１】
前記第１成分収容部を、前記第２成分収容部の上口部に沿って第２成分収容部方向に移動させた最終位置において、
前記栓部材が、前記栓部材収容凹部に収容されると、前記栓部材収容凹部内に流入された前記第１成分と前記第２成分との混合成分が、前記栓部材収容凹部に収容された前記栓部材より上方へ押し上げられ、
これにより、前記第２成分収容部内で混合された第１成分と第２成分の混合成分を、前記混合成分吸い上げ管を介して噴射できるよう構成されていることを特徴とする請求項２０に記載の用時混合容器。
【請求項２２】
前記第２成分収容部に、前記第２成分収容部の上口部より内方に向かって内方折り返し部が延設されていることを特徴とする請求項２０または２１に記載の用時混合容器。
【請求項２３】
前記第２成分収容部に延設された前記内方折り返し部内に、前記栓部材が嵌合係止されていることを特徴とする請求項２０から２２のいずれかに記載の用時混合容器。
【請求項２４】
前記第２成分収容部の底部に底栓部材が嵌着自在に設けられていることを特徴とする請求項２０から２３のいずれかに記載の用時混合容器。
【請求項２５】
前記底栓部材の中央部に前記栓部材を収容する栓部材収容凹部が形成されていることを特徴とする請求項２４に記載の用時混合容器。
【請求項２６】
前記第１成分収容部を前記第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるよう、
前記延設部の下端部が前記栓部材に当接するように構成されていることを特徴とする請求項２０から２５のいずれかに記載の用時混合容器。
【請求項２７】
前記第１成分収容部を前記第２成分収容部の上口部に沿って第２成分収容部方向に移動させた際において、
前記第１成分収容部内の第１成分と前記第２成分収容部内の第２成分とが互いに混合し合うように、前記延設部の下端部に流通開口部が設けられていることを特徴とする請求項２０から２６のいずれかに記載の用時混合容器。
【請求項２８】
前記栓部材と前記栓部材収容凹部とが、略同形状であることを特徴とする請求項２０から２７のいずれかに記載の用時混合容器。
【請求項２９】
前記栓部材が、上面にテーパー状凹部を備えることを特徴とする請求項２０から２８のいずれかに記載の用時混合容器。
【請求項３０】
前記栓部材が前記栓部材収容凹部に収容された状態において、
前記栓部材収容凹部の端部に、前記栓部材の端部から略同一形状の凹部を形成するようテーパー状部が形成されていることを特徴とする請求項２０から２９のいずれかに記載の用時混合容器。
【請求項３１】
前記第１成分収容部を、第２成分収容部の上口部に沿って第２成分収容部方向に移動させた最終位置において、
前記栓部材が前記栓部材収容凹部に収容され、前記栓部材収容凹部内に流入された前記第１成分と前記第２成分との混合成分が前記栓部材収容凹部に収容された前記栓部材より上方へ確実に押し上げられるよう、前記栓部材収容凹部の壁面に混合成分流通溝部が形成されていることを特徴とする請求項２０から３０のいずれかに記載の用時混合容器。
【請求項３２】
前記第１成分収容部の肩部と前記第２成分収容部の上口部との間の外周に、
使用開始前に前記第１成分収容部が前記第２成分収容部の上口部に沿って、前記第２成分収容部方向に移動することを防止するストッパー部材が着脱自在に設けられていることを特徴とする請求項２０から３１のいずれかに記載の用時混合容器。
【請求項３３】
前記スプレー部材を上口部に装着した前記第１成分収容部の外方に、
着脱自在に装着されたキャップが備えられていることを特徴とする請求項２０から３２のいずれかに記載の用時混合容器。
【請求項３４】
上口部に延設された延設部を備えた容器本体部分と、
前記容器本体部分の前記延設部に嵌合係止されるとともに第１成分を収容する第１成分収容部としての筒状部材が、第２成分を収容するための第２成分収容部に一体的に組み付けられ、前記容器本体部分の前記延設部に対して軸方向に移動可能に構成された成分収容ユニットと、
前記容器本体部分の上口部に装着されたスプレー部材と、
前記スプレー部材の内部に前記スプレー部材の噴射口に連通するように前記容器本体部分の延設部内に収容された混合成分吸い上げ管と、
前記成分収容ユニットを構成する前記筒状部材の上部開口側に嵌合係止された上部栓部材と、
前記成分収容ユニットを構成する前記筒状部材の下部開口部に嵌合係止された下部栓部材と、
前記成分収容ユニットの底部に前記上部栓部材と前記下部栓部材とを収容するための栓部材収容凹部と、を備え、
前記第１成分が前記成分収容ユニットの上部開口側に嵌合係止された前記上部栓部材と前記成分収容部の下部開口部に嵌合係止された前記下部栓部材との間に収容され、
前記第２成分が前記第１成分収容部としての前記筒状部材の外方側に収容され、
使用に際して、前記容器本体部分を前記成分収容ユニット方向に移動させることによって、
前記容器本体部分に延設された前記延設部が前記成分収容ユニットの前記上部開口側に嵌合係止された前記上部栓部材を下方に押圧移動させて、前記成分収容ユニットに収容された第１成分の圧力によって、前記成分収容ユニットの下部開口部に嵌合係止された前記下部栓部材を前記成分収容ユニットより下方に離脱させ、
これにより、前記第１成分収容部としての前記筒状部材に収容した第１成分と、第２成分収容部に収容した第２成分とを、前記成分収容ユニット内で混合するとともに、さらに前記容器本体部分を前記成分収容ユニット方向に移動させることによって、前記容器本体部分の前記上口部に延設された前記延設部が、前記成分収容ユニット内の前記上部栓部材と前記下部栓部材とを下方に押圧して移動させ、前記成分収容ユニットの底部に形成された前記栓部材収容凹部に前記上部栓部材と前記下部栓部材とを収容して移動不能とし、
これにより、前記成分収容ユニット内で混合された第１成分と第２成分との混合成分を前記混合成分吸い上げ管を介して噴射できるよう構成されていることを特徴とする用時混合容器。
【請求項３５】
前記容器本体部分を、前記成分収容ユニット方向に移動させた最終位置において、
前記上部栓部材と前記下部栓部材とが前記栓部材収容凹部に収容されると、
前記栓部材収容凹部内に流入された前記第１成分と前記第２成分との混合成分が、前記栓部材収容凹部内に収容された前記上部栓部材と前記下部栓部材より上方へ押し上げられ、
これにより、前記成分収容ユニット内で混合された第１成分と第２成分の混合成分を、前記混合成分吸い上げ管を介して噴射できるよう構成されていることを特徴とする請求項３４に記載の用時混合容器。
【請求項３６】
前記成分収容ユニットに、前記成分収容部の上口部より内方に向かって内方折り返し部が具備されていることを特徴とする請求項３４または３５に記載の用時混合容器。
【請求項３７】
前記成分収容ユニットに延設された前記内方折り返し部内に、
前記上部栓部材と前記下部栓部材とが嵌合係止され、さらに前記上部栓部材と前記下部栓部材の間に前記第１成分を収容するよう構成されていることを特徴とする請求項３４から３６のいずれかに記載の用時混合容器。
【請求項３８】
前記成分収容ユニットに具備された前記内方折り返し部内に筒状部材が移動不能に設けられ、前記筒状部材内に、前記上部栓部材と前記下部栓部材とが嵌合係止され、さらに前記上部栓部材と前記下部栓部材の間に前記第１成分を収容するよう構成されていることを特徴とする請求項３４から３６のいずれかに記載の用時混合容器。
【請求項３９】
前記成分収容ユニットの底部に、嵌着自在に底栓部材が設けられていることを特徴とする請求項３４から３８のいずれかに記載の用時混合容器。
【請求項４０】
前記底栓部材の中央部に、前記栓部材を収容する栓部材収容凹部が形成されていることを特徴とする請求項３９に記載の用時混合容器。
【請求項４１】
前記容器本体部分を、前記成分収容ユニットの上口部に沿って前記成分収容ユニット方向に移動させた最終位置において、
前記成分収容ユニットの上口部から離脱され、前記成分収容ユニットの底部に形成された前記栓部材収容凹部に収容された前記上部栓部材と前記下部栓部材とが確実に移動不能となるよう、前記延設部の下端部が前記上部栓部材に当接するように構成されていることを特徴とする請求項３４から４０のいずれかに記載の用時混合容器。
【請求項４２】
前記容器本体部分を、前記成分収容ユニットの上口部に沿って前記成分収容部方向に移動させた際において、
前記成分収容ユニット内の前記第１成分収容部内に収容された第１成分と前記第２成分収容部内に収容された第２成分とが互いに混合し合うように、
前記延設部の下端部に、流通開口部が設けられていることを特徴とする請求項３４から４１のいずれかに記載の用時混合容器。
【請求項４３】
前記上部栓部材と前記下部栓部材とを重ね合わせた形状と前記栓部材収容凹部とが、略同形状であることを特徴とする請求項３４から４２のいずれかに記載の用時混合容器。
【請求項４４】
前記上部栓部材が、上面にテーパー状凹部を備えることを特徴とする請求項３４から４２のいずれかに記載の用時混合容器。
【請求項４５】
前記上部栓部材と前記下部栓部材とを前記栓部材収容凹部に収容された状態において、
前記栓部材収容凹部の端部に、前記上部栓部材の端部から略同一形状の凹部を形成するようテーパー状部が形成されていることを特徴とする請求項３４から４４のいずれかに記載の用時混合容器。
【請求項４６】
前記容器本体部分を、前記成分収容ユニットの上口部に沿って前記成分収容ユニット方向に移動させた最終位置において、
前記上部栓部材と前記下部栓部材とが前記栓部材収容凹部に収容され、
前記栓部材収容凹部内に流入された前記第１成分と前記第２成分との混合成分が、前記栓部材収容凹部に収容された前記上部栓部材より上方へ確実に押し上げられるよう、前記栓部材収容凹部の壁面に、混合成分流通溝部が形成されていることを特徴とする請求項３４から４５のいずれかに記載の用時混合容器。
【請求項４７】
前記容器本体部分の底口部と前記成分収容ユニットの底口部との間の外周に、
使用開始前に前記容器本体部分が前記成分収容ユニットの上口部に沿って、前記成分収容ユニット方向に移動することを防止するストッパー部材が着脱自在に設けられていることを特徴とする請求項３４から４６のいずれかに記載の用時混合容器。
【請求項４８】
前記スプレー部材を上口部に装着した前記容器本体部分の外方に、
着脱自在に装着されたキャップが備えられていることを特徴とする請求項３４から４７のいずれかに記載の用時混合容器。
【発明の詳細な説明】
【技術分野】
【０００１】
本発明は、用時混合容器に関し、詳しくは、固体状、粉粒体状、液体状などの第1成分
と第２成分とが使用開始前には混合されず、使用開始の際に両者を混合して使用することが可能な用時混合容器に関する。
【背景技術】
【０００２】
従来より、第１成分と第２成分とを保存時、流通時、販売時などには混合されない状態に分離して収容しておき、用時において両者を混合する用時混合容器がある。このような用時混合容器は、溶解した状態では化学的に不安定な薬剤等の使用において広く用いられている。
【０００３】
近年においては、経皮吸収や粘膜吸収によって薬剤等を体内に注入することが多く行われており、その場合には、用時混合容器により第１成分と第２成分との混合成分がノズルを介して噴射される。
【０００４】
このような用時混合容器は、第１成分と第２成分との混合成分を噴射する噴射ノズルが、例えば口内に混合成分を噴射するために形成された側方噴射タイプ、鼻穴内に混合物を噴射するために形成された上方噴射タイプなど、使用状況や使用箇所により形態が異なっている。
【０００５】
また、第１成分と第２成分との混合は、例えば、特許文献１（特開２００３−２００９７７号公報）に開示された方法により行なわれている。
すなわち、特許文献１に開示された用時混合容器１００では、図１４に示したように、上端に口部１０４を有する下部容器１０２と、この下部容器１０２の口部１０４に接続される円筒状の上部容器１０６と、下部容器１０２の口部１０４に軸方向移動可能に内嵌される栓体１０８と、上部容器１０６の上端開口部１１６に装着されるスプレー式の吐出装置１１０とが具備されている。
【特許文献１】特開２００３−２００９７７号公報
【発明の開示】
【発明が解決しようとする課題】
【０００６】
ところで、特許文献１に開示された用時混合容器１００では、液体成分ｂを収容した上部容器１０６と固体成分ａを収容した下部容器１０２とが、保存時、流通時、販売時などにおいては、組み込まれない状態で管理されている。
【０００７】
したがって、実際の使用時においては、場合によって異なったものを組み付けて使用してしまうことも考えられる。また、適正に組付けられた状態でも比較的容易に取り外すことができるため、例えば、一方の固体成分ａの入った下部容器１０２を取り外した状態で使用してしまうことも考えられる。
【０００８】
また、従来の用時混合容器１００では、２つの成分ａ，ｂを収容するのに別々の容器１０２，１０６を用意してこれらを組み込む構造であるため、結果としてコスト高になるとともに用時混合容器１００が大型化してしまうという問題がある。
【０００９】
さらに、従来の用時混合容器１００では、固体成分ａが液体成分ｂで溶解されるときに液体成分ｂの量によっては栓体１０８が邪魔になって固体成分ａが液体成分ｂ中に十分溶解できていない状態で使用されてしまう虞もある。
【００１０】
また、従来の用時混合容器１００では、下部容器１０２が取り外された状態であっても上部容器１０６内の液体成分ｂを噴出できる構造であるので、液体成分ｂのみを単独で使用してしまう虞もある。
【００１１】
さらに、従来の構造では、栓体１０８が下部容器１０２内に落下された後に、この栓体１０８は下部容器１０２内で移動可能であるため、栓体１０８の落下を視認することができるものの、栓体１０８が下部容器１０２のガラス製の底面などに衝突して異音を発生させることもある。
【００１２】
また、固体成分ａと液体成分ｂとが混合された後であっても、その混合成分の一部は栓体１０８の下面などに貯留されるため、全ての混合成分を噴出することが困難であった。
本発明は、このような実状に鑑み、使用開始前に予め別々に分離して収容されている第１成分と第２成分とを使用時などに異なるものを組み付けたり、一方が組み付けられていない状態で使用してしまうような誤使用がなく、また、コンパクトに構成することができ、さらには、一方の成分が固体成分であってもこの固体成分を短時間のうちに他方の液体成分中に十分溶解させることができ、加えて異音などの発生がなく、さらには混合成分の略全量を使用することが可能な用時混合容器を提供することを目的とする。
【課題を解決するための手段】
【００１３】
本発明は、前述したような従来技術における課題および目的を達成するために発明されたものであって、
本発明の用時混合容器は、
第１成分を収容する第１成分収容部と、
前記第１成分収容部の底口部内部に嵌合係止され、底部に第２成分を収容する第２成分収容部と、
前記第１成分収容部の上口部に装着されたスプレー部材と、
前記スプレー部材の内部に、前記スプレー部材の噴射口に連通するように前記スプレー部材より下方に延設するように設けられた混合成分吸い上げ管と、
前記混合成分吸い上げ管を囲うように前記第１成分収容部の上口部より下方に延設された筒状の延設部と、
前記第２成分収容部内に嵌合係止された栓部材と、
前記第２成分収容部の底部側で前記栓部材が収容される栓部材収容凹部と、を備え、
使用に際して、前記第１成分収容部を前記第２成分収容部の上口部に沿って第２成分収容部方向に移動させることによって、前記第１成分収容部に延設された前記延設部が、前記第２成分収容部内に嵌合係止された前記栓部材を下方に押圧して移動離脱させ、
これにより、前記第１成分収容部と前記第２成分収容部との間に流通通路が形成され、この流通通路を介して前記第１成分と前記第２成分とを前記第２成分収容部内で混合するとともに、
さらに前記第１成分収容部を前記第２成分収容部の上口部に沿って第２成分収容部方向に移動させることによって、
前記第１成分収容部に延設された前記延設部が、前記第２成分収容部内の前記栓部材を下方に押圧して移動させ、前記第２成分収容部の底部に形成された前記栓部材収容凹部に前記栓部材を収容して移動不能とし、
これにより、前記第２成分収容部内で混合された第１成分と第２成分の混合成分を、前記混合成分吸い上げ管を介して噴射できるよう構成されていることを特徴とする。
【００１４】
このような構成によれば、使用開始前の状態では、第１成分収容部内に収容した第１成分と第２成分収容部内に収容した第２成分とが隔離され混合されることはない。
そして、使用に際して、第１成分収容部を第２成分収容部方向に移動させることによっ
て栓部材を落下させ、これにより第１成分と第２成分との混合ができるとともに混合成分の噴射が可能になる。
【００１５】
また、このような一連の混合操作をしなければ、第１成分と第２成分の混合成分を噴射できない構造であるので、保存、流通時などの管理状態下で誤って第１成分と第２成分の混合成分を噴射させてしまうことはない。
【００１６】
さらに、従来のように第１成分用の容器と第２成分用の容器に別れていないため、構造をコンパクトにすることができる。
また、本発明の用時混合容器は、
前記第１成分収容部を、前記第２成分収容部の上口部に沿って第２成分収容部方向に移動させた最終位置において、
前記栓部材が、前記栓部材収容凹部に収容されると、
前記栓部材収容凹部内に流入された前記第１成分と前記第２成分との混合成分が、前記栓部材収容凹部に収容された前記栓部材より上方へ押し上げられ、これにより、前記第２成分収容部内で混合された第１成分と第２成分の混合成分を、前記混合成分吸い上げ管を介して噴射できることが好ましい。
【００１７】
このように構成することによって、栓部材収容凹部内に流入された第１成分と第２成分の混合成分を、栓部材収容凹部より外方に確実に押し出すことができる。
これにより、第１成分と第２成分との混合成分を、混合成分吸い上げ管を介して略全量取り出して噴射することが可能になる。
【００１８】
また、本発明の用時混合容器は、
前記第１成分収容部に延設された前記延設部の下端部に、
スペーサー部材が設けられていることが好ましい。
【００１９】
このような構成であれば、スペーサー部材を介して栓部材を下方に押圧することができるので、栓部材を均等かつ確実に下方に押圧することができる。
また、本発明の用時混合容器は、
前記第２成分収容部に、前記第２成分収容部の上口部より内方に向かって内方折り返し部が延設されていることが好ましい。
【００２０】
このような構成であれば、第２成分収容部の上口部の流通通路の大きさを調整することができる。
また、本発明の用時混合容器は、
前記第２成分収容部内に延設された前記内方折り返し部内に、前記栓部材が嵌合係止されていることが好ましい。
【００２１】
このような構成であれば、栓部材の位置決めが容易であるとともに第１成分収容部に収容された第１成分と第２成分収容部に収容された第２成分とを、確実に隔離した状態とすることができる。
【００２２】
また、本発明の用時混合容器は、
前記第２成分収容部内に延設された前記内方折り返し部内に、前記栓部材が嵌合係止されていることが好ましい。
【００２３】
このような構成であれば、第１成分収容部に収容された第１成分と第２成分収容部に収容された第２成分とを、確実に隔離した状態とすることができる。
また、本発明の用時混合容器は、
前記第１成分収容部から延設された前記延設部の下端部に設けられた前記スペーサー部材の外壁面が、前記第２成分収容部に延設された前記内方折り返し部に嵌合係止され、これにより前記第１成分収容部内に収容された第１成分が液密に封止されることが好ましい。
【００２４】
このような構成であれば、栓部材による第１成分と第２成分との隔離を一層確実にすることができる。
また、本発明の用時混合容器は、
前記第２成分収容部の底部に、底栓部材が嵌着自在に設けられていることが好ましい。
【００２５】
このように構成することによって、第２成分収容部の底部より底栓部材を取り外した際に第２成分収容部の底部が大きく開かれることとなるため、用時混合容器に第１成分や第２成分を注入する際の作業を正確かつ確実に行うことができる。
【００２６】
また、第２成分収容部の底部より底栓部材を取り外した際には、用時混合容器の内部の視認性が極めて良好であるため、成分注入作業時に用時混合容器内に第１成分や第２成分が確実に注入されているかを容易に確認することができる。
【００２７】
また、本発明の用時混合容器は、
前記底栓部材の上面略中央部に、前記栓部材を収容する栓部材収容凹部が形成されていることが好ましい。
【００２８】
このように構成することによって、栓部材を栓部材収容凹部内に確実に収容することができる。
また、本発明の用時混合容器は、
前記第１成分収容部を、前記第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるよう、
前記延設部の下端が前記栓部材に当接するように構成されていることが好ましい。
【００２９】
このように構成することによって、第１成分収容部を第２成分収容部方向に移動させ、混合が終了した最終位置において、延設部の下端が栓部材の上面に当接するため、栓部材を栓部材収容凹部の底面にしっかりと当接される位置まで移動させることができる。
【００３０】
また、本発明の用時混合容器は、
前記第１成分収容部を、第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるように、前記延設部の下端側に設けられた前記スペーサー部材の下端部が、前記栓部材に当接するように構成されていることが好ましい。
【００３１】
このように構成することによって、第１成分収容部を第２成分収容部方向に移動させ、混合が終了した最終位置において、延設部の下端側に設けられたスペーサー部材の下端部が栓部材の上面に当接するため、栓部材を栓部材収容凹部の底面にしっかりと当接される位置まで移動させることができる。
【００３２】
さらに、スペーサー部材は、栓部材の上面全体を押圧することができるため、均等な力でしかも確実に栓部材を下方に押し下げることができ、確実に第２成分収容部の底部に設
けられた栓部材収容凹部に、栓部材を栓部材収容凹部の底面にしっかりと当接される位置まで移動させることができる。
【００３３】
また、本発明の用時混合容器は、
前記栓部材と前記栓部材収容凹部とが、略同形状であることが好ましい。
このように構成することによって、栓部材を栓部材収容凹部に確実に嵌合することができる。
【００３４】
また、本発明の用時混合容器は、
前記栓部材が、上面にテーパー状凹部を備えることが好ましい。
このように構成することによって、第１成分と第２成分との混合成分が、スプレー部材の下方に延設された混合栓分吸い上げ管の真下付近に集まるようになるため、混合成分を用時混合容器外へ噴射する際に略全量の混合成分を使用することができる。
【００３５】
また、本発明の用時混合容器は、
前記栓部材が前記栓部材収容凹部に収容された状態において、
前記栓部材収容凹部の端部に、前記栓部材の端部から略同一形状の凹部を形成するテーパー状部が連続して形成されていることが好ましい。
【００３６】
このように構成することによって、第２成分収容部内の第１成分と第２成分との混合成分を確実に第２成分収容部の中心部分に集めることができる。
また、本発明の用時混合容器は、
前記第１成分収容部を前記第２成分収容部の上口部に沿って第２成分収容部方向に移動させた最終位置において、
前記栓部材が前記栓部材収容凹部に収容され、前記栓部材収容凹部内に流入された前記第１成分と前記第２成分との混合成分が、前記栓部材収容凹部に収容された前記栓部材より上方へ確実に押し上げられるよう、前記栓部材収容凹部の壁面に、混合成分流通溝部が形成されていることが好ましい。
【００３７】
このように栓部材収容凹部の壁面に、混合成分流通溝部を形成すれば、第１成分収容部を第２成分収容部方向に移動させた最終位置において、栓部材が栓部材収容凹部に収容された場合に、栓部材と栓部材収容凹部との間に局所的に隙間が形成されるため、栓部材収容凹部内に流入された第１成分と第２成分との混合成分が栓部材収容凹部の外方に全て追い出される前に栓部材で栓部材収容凹部を塞いでしまうことを防止することができる。
【００３８】
また、本発明の用時混合容器は、
前記第１成分収容部を、第２成分収容部の上口部に沿って第２成分収容部方向に移動させた際に、
前記栓部材が確実に前記栓部材収容凹部に収容されるよう前記第２成分収容部の内壁部に、所定間隔離間して複数の案内リブが設けられていることが好ましい。
【００３９】
このように構成することによって、第１成分収容部を第２成分収容部方向に移動させた際に、栓部材の側面を複数の案内リブ部材で保持することとなるため、第２成分収容部の底部に設けられた栓部材収容凹部に栓部材を確実に収容することができる。
【００４０】
また、本発明の用時混合容器は、
前記第１成分収容部の下方に、
前記第１成分収容部を前記第２成分収容部の外周壁との間で案内する略筒状の第１成分案内部が備えられていることが好ましい。
【００４１】
このように構成することによって、第１成分収容部を第２成分収容部方向に移動させた際に、第１成分収容部が第１成分案内部に案内されるため、確実に第１成分収容部を所定の位置まで移動させることができる。
【００４２】
また、本発明の用時混合容器は、
前記第１成分収容部と前記第１成分案内部とが、
切り離し自在に一体成形されてなることが好ましい。
【００４３】
このように構成することによって、第１成分と第２成分との混合前には第１成分収容部と第１成分案内部とが一体状態であり、混合の際には第１成分収容部を下方に移動させる必要があり、この際に初めて第１成分収容部と第１成分案内部とが切り離されるため、用時混合容器の第１成分と第２成分とが混合前の状態であるか混合後の状態であるかを確実に把握することができる。
【００４４】
また従来、混合前状態の用時混合容器は、誤って第１成分収容部が第２成分収容部方向に移動してしまわないよう、両収容部の間にストッパーを設けていたが、第１成分収容部と第１成分案内部とが一体成形されることにより、ある程度の力が加わらないと、第１成分収容部と第１成分案内部が切り離されることがないためストッパーの役目を兼ねており、このため部材を減らすことができる。
【００４５】
また、本発明の用時混合容器は、
前記第１成分収容部の肩部と前記第２成分収容部の上口部との間の外周に、
使用開始前に前記第１成分収容部が前記第２成分収容部の上口部に沿って、前記第２成分収容部方向に移動することを防止するストッパー部材が着脱自在に設けられていることが好ましい。
【００４６】
このように構成することによって、ストッパー部材を取り外さない限り、誤って第１成分収容部を、第２成分収容部の口部に沿って、第２成分収容部方向に移動させることができないので、誤って第１成分と第２成分の混合成分を噴射することがない。
【００４７】
しかも、ストッパー部材を取り外した後には、ストッパー部材がないことを視認できるので、既に第１成分と第２成分の混合が行われ、使用可能状態であることを使用者が認識することができる。
【００４８】
また、本発明の用時混合容器は、
前記スプレー部材を上口部に装着した前記第１成分収容部の外方に、
着脱自在に装着されたキャップが備えられていることが好ましい。
【００４９】
このように、キャップを装着することによって、使用開始前、不使用時にスプレー部材のノズル開口部が汚染するのを防止できるとともに、使用開始後において、不使用時に誤って混合成分を噴射することを防止することができる。
【００５０】
また、本発明の用時混合容器は、
第１成分を収容する延設部を上口部に備える第１成分収容部と、
前記延設部と第１成分収容部の内壁に嵌合係止され、底部に第２成分を収容する第２成分収容部と、
前記第１成分収容部の上口部に装着されたスプレー部材と、
前記スプレー部材の内部に、前記スプレー部材の噴射口に連通するようにスプレー部材より下方に延設されるとともに、前記第１成分収容部の延設部内を通過するように設けられた混合成分吸い上げ管と、
前記第２成分収容部内に嵌合係止された栓部材と、
前記第２成分収容部の底部に前記栓部材を収容するための栓部材収容凹部を備え、
前記第１成分が、前記栓部材の上方であるとともに前記延設部の下端部に収容され、
使用に際して、前記第１成分収容部を前記第２成分収容部の上口部に沿って、第２成分収容部方向に移動させることによって、
前記第１成分収容部に延設された前記延設部が、前記第２成分収容部内に嵌合係止された前記栓部材を下方に押圧して移動離脱させ、
これにより、前記第１成分収容部に収容した第１成分と、前記第２成分収容部に収容した第２成分とを、前記第１成分収容部に形成された流通開口部を介して前記第２成分収容部内で混合するとともに、
さらに前記第１成分収容部を前記第２成分収容部に沿って、第２成分収容部方向に移動させることによって、
前記第１成分収容部に延設された前記延設部が、前記第２成分収容部内の前記栓部材を下方に押圧して移動させ、前記第２成分収容部の底部に形成された前記栓部材収容凹部に前記栓部材を収容して移動不能とし、
これにより、前記第２成分収容部内で混合された第１成分と第２成分の混合成分を、前記混合成分吸い上げ管を介して噴射できるよう構成されていることを特徴とする。
【００５１】
このように構成することによって、使用開始前には第１成分収容部内に収容した第１成分と第２成分収容部内に収容した第２成分とが隔離され、混合されることはない。
そして、使用に際して、第１成分収容部を第２成分収容部方向に移動させることによって、第１成分収容部の口部に延設された延設部が、第２成分収容部の上口部に装着された栓部材を下方に押圧し、これにより栓部材を第２成分収容部の下方に離脱させることになる。
【００５２】
これにより、第１成分と第２成分とを、混合することができる。
さらに、第１成分収容部を第２成分収容部方向に移動させることによって、第２成分収容部の上口部に装着された栓部材を延設部が下方に押圧し、第２成分収容部の底部に設けられた栓部材収容凹部に栓部材を収容することができる。
【００５３】
これにより、第２成分収容部内で混合された第１成分と第２成分の混合成分を、混合成分吸い上げ管を介して確実に噴射できるようになる。
また、このような混合操作をしなければ、第１成分と第２成分の混合成分を噴射できない構造であるので、誤って第１成分と第２成分の混合成分を噴射するおそれがない。
【００５４】
また、このような混合操作をしなければ、第１成分のみや第２成分のみを噴射してしまうおそれがない。
また、第１成分収容部を第２成分収容部方向に移動させるだけで第１成分と第２成分の混合を行うことができ、操作が容易であり、熟練を要することがなく、誰でも操作可能である。
【００５５】
さらに、従来のように第１成分用の容器と第２成分用の容器に別れていないため、コンパクトであり、しかも使用時には、第１成分収容部が第２成分収容部の口部に嵌った状態になるので、さらにコンパクトであり、例えば通常の用時容器とほぼ同じサイズとすることができる。
【００５６】
また、本発明の用時混合容器は、
前記第１成分収容部を、前記第２成分収容部の上口部に沿って第２成分収容部方向に移動させた最終位置において、
前記栓部材が、前記栓部材収容凹部に収容されると、前記栓部材収容凹部内に流入され
た前記第１成分と前記第２成分との混合成分が、前記栓部材収容凹部に収容された前記栓部材より上方へ押し上げられ、
これにより、前記第２成分収容部内で混合された第１成分と第２成分の混合成分を、前記混合成分吸い上げ管を介して噴射できるよう構成されていることが好ましい。
【００５７】
このように構成することによって、第２成分収容部の上口部に嵌合係止された栓部材は、第２成分収容部の底部に設けられた栓部材収容凹部に確実に収容されるため、第１成分と第２成分の混合成分を、確実に栓部材収容凹部より外方に押し出すことができる。
【００５８】
このため第１成分と第２成分の混合成分を、混合成分吸い上げ管を介して全量取り出して噴射することができる。
また、本発明の用時混合容器は、
前記第２成分収容部に、前記第２成分収容部の上口部より内方に向かって内方折り返し部が延設されていることが好ましい。
【００５９】
このような構成であれば、第２成分収容部の上口部の流通通路の大きさを調整することができる。
また、本発明の用時混合容器は、
前記第２成分収容部に延設された前記内方折り返し部内に、前記栓部材が嵌合係止されていることが好ましい。
【００６０】
このような構成であれば、第１成分収容部に収容された第１成分と第２成分収容部に収容された第２成分とを、確実に隔離した状態とすることができる。
また、本発明の用時混合容器は、
前記第２成分収容部の底部に底栓部材が嵌着自在に設けられていることが好ましい。
【００６１】
このように構成することによって、第２成分収容部の底部より底栓部材を取り外した際に第２成分収容部の底部が大きく開かれることとなるため、用時混合容器に第１成分や第２成分を注入する際の作業を正確かつ確実に行うことができる。
【００６２】
また、第２成分収容部の底部より底栓部材を取り外した際には、用時混合容器の内部の視認性が極めて良好であるため、成分注入作業時に用時混合容器内に第１成分や第２成分が確実に注入されているかを容易に確認することができる。
【００６３】
また、本発明の用時混合容器は、
前記底栓部材の中央部に前記栓部材を収容する栓部材収容凹部が形成されていることが好ましい。
【００６４】
このように構成することによって、底栓部を栓部材収容凹部に確実に収容することができる。
また、本発明の用時混合容器は、
前記第１成分収容部を前記第２成分収容部の上口部に沿って第２成分収容部方向に移動させた最終位置において、
前記第２成分収容部の上口部から離脱され、前記第２成分収容部の底部に形成された前記栓部材収容凹部に収容された前記栓部材が確実に移動不能となるよう、前記延設部の下端部が前記栓部材に当接するように構成されていることが好ましい。
【００６５】
このように構成することによって、第１成分収容部を第２成分収容部方向に移動させ、混合が終了した最終位置において、延設部の下端が栓部材の上面に当接するため、栓部材を栓部材収容凹部の底面にしっかりと当接される位置まで移動させることができる。
【００６６】
また、本発明の用時混合容器は、
前記第１成分収容部を前記第２成分収容部の上口部に沿って第２成分収容部方向に移動させた際において、
前記第１成分収容部内の第１成分と前記第２成分収容部内の第２成分とが互いに混合し合うように、前記延設部の下端部に流通開口部が設けられていることが好ましい。
【００６７】
このように構成することによって、第１成分収容部を第２成分収容部方向に移動させ、混合が終了した最終位置において、延設部の下端部が栓部材の上面に当接するため、栓部材を栓部材収容凹部の底面にしっかりと当接される位置まで移動させることができる。
【００６８】
また、本発明の用時混合容器は、
前記栓部材と前記栓部材収容凹部とが、略同形状であることが好ましい。
このように構成することによって、栓部材を栓部材収容凹部に確実に嵌合することができる。
【００６９】
また、本発明の用時混合容器は、
前記栓部材が、上面にテーパー状凹部を備えることが好ましい。
このように構成することによって、第１成分と第２成分との混合成分が、スプレー部材の下方に延設された混合栓分吸い上げ管の真下付近集まるようになるため、混合成分を混合成分吸い上げ管を介して用時混合容器外へ噴射する際において全量の混合成分を使用することができる。
【００７０】
また、本発明の用時混合容器は、
前記栓部材が前記栓部材収容凹部に収容された状態において、
前記栓部材収容凹部の端部に、前記栓部材の端部から略同一形状の凹部を形成するようテーパー状部が形成されていることが好ましい。
【００７１】
このように構成することによって、第２成分収容部内の第１成分と第２成分との混合成分を確実に第２成分収容部の中心部分に集めることができるため、使用に際して、混合成分を全量使用することができる。
【００７２】
なお、この際栓部材収容凹部の端部に形成されたテーパー状部は、用時混合容器の上部に向かって広がる形状とすることが好ましい。
さらに、テーパー状部は、栓部材収容凹部に収容された栓部材の最上面と略同一位置より形成されるか、若干高い位置より形成させることが好ましい。
【００７３】
また、本発明の用時混合容器は、
前記第１成分収容部を、第２成分収容部の上口部に沿って第２成分収容部方向に移動させた最終位置において、
前記栓部材が前記栓部材収容凹部に収容され、前記栓部材収容凹部内に流入された前記第１成分と前記第２成分との混合成分が前記栓部材収容凹部に収容された前記栓部材より上方へ確実に押し上げられるよう、前記栓部材収容凹部の壁面に、混合成分流通溝部が形成されていることが好ましい。
【００７４】
このように栓部材収容凹部の壁面に、混合成分流通溝部を形成すれば、第１成分収容部を第２成分収容部の上口部に沿って第２成分収容部方向に移動させた最終位置において、栓部材が栓部材収容凹部に収容された場合に、栓部材と栓部材収容凹部との間に局所的に隙間が形成されるため、栓部材収容凹部内に流入された第１成分と第２成分との混合成分が栓部材収容凹部の外方に全て追い出される前に栓部材で栓部材収容凹部を塞いでしまう
ことを防止することができる。
【００７５】
また、本発明の用時混合容器は、
前記第１成分収容部の肩部と前記第２成分収容部の上口部との間の外周に、
使用開始前に前記第１成分収容部が前記第２成分収容部の上口部に沿って、前記第２成分収容部方向に移動することを防止するストッパー部材が着脱自在に設けられていることが好ましい。
【００７６】
このように構成することによって、ストッパー部材を取り外さない限り、誤って第１成分収容部を、第２成分収容部の口部に沿って、第２成分収容部方向に移動させることができないので、誤って第１成分と第２成分の混合成分を噴射するおそれがない。
【００７７】
しかも、ストッパー部材を取り外した後には、ストッパー部材がないことを視認できるので、既に第１成分と第２成分の混合が行われ、使用可能状態であることを使用者が認識することができる。
【００７８】
また、本発明の用時混合容器は、
前記スプレー部材を上口部に装着した前記第１成分収容部の外方に、
着脱自在に装着されたキャップが備えられていることが好ましい。
【００７９】
このように、キャップを装着することによって、使用開始前、不使用時にスプレー部材のノズル開口部が汚染するのを防止できるとともに、使用開始後において、不使用時に誤って混合成分を噴射することを防止することができる。
【００８０】
また、本発明の用時混合容器は、
上口部に延設された延設部を備えた容器本体部分と、
前記容器本体部分の前記延設部に嵌合係止されるとともに第１成分を収容する第１成分収容部としての筒状部材が、第２成分を収容するための第２成分収容部に一体的に組み付けられ、前記容器本体部分の前記延設部に対して軸方向に移動可能に構成された成分収容ユニットと、
前記容器本体部分の上口部に装着されたスプレー部材と、
前記スプレー部材の内部に前記スプレー部材の噴射口に連通するように前記容器本体部分の延設部内に収容された混合成分吸い上げ管と、
前記成分収容ユニットを構成する前記筒状部材の上部開口側に嵌合係止された上部栓部材と、
前記成分収容ユニットを構成する前記筒状部材の下部開口部に嵌合係止された下部栓部材と、
前記成分収容ユニットの底部に前記上部栓部材と前記下部栓部材とを収容するための栓部材収容凹部と、を備え、
前記第１成分が前記成分収容ユニットの上部開口側に嵌合係止された前記上部栓部材と前記成分収容部の下部開口部に嵌合係止された前記下部栓部材との間に収容され、
前記第２成分が前記第１成分収容部としての前記筒状部材の外方側に収容され、
使用に際して、前記容器本体部分を前記成分収容ユニット方向に移動させることによって、
前記容器本体部分に延設された前記延設部が前記成分収容ユニットの前記上部開口側に嵌合係止された前記上部栓部材を下方に押圧移動させて、前記成分収容ユニットに収容された第１成分の圧力によって、前記成分収容ユニットの下部開口部に嵌合係止された前記下部栓部材を前記成分収容ユニットより下方に離脱させ、
これにより、前記第１成分収容部としての前記筒状部材に収容した第１成分と、第２成分収容部に収容した第２成分とを、前記成分収容ユニット内で混合するとともに、さらに
前記容器本体部分を前記成分収容ユニット方向に移動させることによって、前記容器本体部分の前記上口部に延設された前記延設部が、前記成分収容ユニット内の前記上部栓部材と前記下部栓部材とを下方に押圧して移動させ、前記成分収容ユニットの底部に形成された前記栓部材収容凹部に前記上部栓部材と前記下部栓部材とを収容して移動不能とし、
これにより、前記成分収容ユニット内で混合された第１成分と第２成分との混合成分を前記混合成分吸い上げ管を介して噴射できるよう構成されていることを特徴としている。
【００８１】
このように構成することによって、使用開始前には第１成分と第２成分とが、隔離した状態に管理され混合されることはない。
そして使用に際して、容器本体部分を成分収容ユニットの口部に沿って成分収容ユニット方向に移動させることによって、容器本体部分の口部に延設された延設部が成分収容ユニットの上口部に設けられた第２成分収容部内に装着された上部栓部材と下部栓部材とを下方に押圧し、これにより栓部材を移動させて成分収容部の下方に離脱させることになる。
【００８２】
これにより、第１成分と第２成分とを混合することができる。
さらに、容器本体部分を成分収容ユニットの口部に沿って成分収容ユニット方向に移動させることによって、成分収容ユニットの上口部に延設された第１成分収容部内に装着された上部栓部材と下部栓部材とを、容器本体部分に設けられた延設部が下方に押圧し、成分収容ユニットの底部に設けられた栓部材収容凹部に上部栓部材と下部栓部材とを収容することができる。
【００８３】
これにより、成分収容ユニット内で混合された第１成分と第２成分の混合成分を、混合成分吸い上げ管を介して確実に噴射できるようになる。
従って、このような混合操作をしなければ噴射できない構造であるので、誤って液体成分を噴射することがない。
【００８４】
また、第１成分収容部を第２成分収容部の口部に沿って第２成分収容部方向に移動させるだけで第１成分と第２成分の混合を行うことができ、操作が容易であり、熟練を要することがなく誰でも容易に操作することができる。
【００８５】
さらに、従来のように第１成分用の容器と第２成分用の容器に別れていないためコンパクトであり、しかも使用時には、容器本体部分が成分収容部の口部に嵌った状態になるので、さらにコンパクトであり、例えば通常の用時容器とほぼ同じサイズとすることができる。
【００８６】
また、本発明の用時混合容器は、
前記容器本体部分を、前記成分収容ユニット方向に移動させた最終位置において、
前記上部栓部材と前記下部栓部材とが前記栓部材収容凹部に収容されると、
前記栓部材収容凹部内に流入された前記第１成分と前記第２成分との混合成分が、前記栓部材収容凹部内に収容された前記上部栓部材と前記下部栓部材より上方へ押し上げられ、
これにより、前記成分収容ユニット内で混合された第１成分と第２成分の混合成分を、前記混合成分吸い上げ管を介して噴射できるよう構成されていることが好ましい。
【００８７】
このように構成することによって、成分収容ユニットの上口部に延設された第１成分収容部内に嵌合係止された上部栓部材と下部栓部材とは、成分収容ユニットの底部に設けられた栓部材収容凹部に確実に収容されるため、栓部材収容凹部内に流入された第１成分と第２成分の混合成分を、確実に栓部材収容凹部より外方に押し出すことができる。
【００８８】
また、本発明の用時混合容器は、
前記成分収容ユニットに、前記成分収容部の上口部より内方に向かって内方折り返し部が具備されていることが好ましい。
【００８９】
このように構成することによって、成分収容ユニットの上口部の流通通路の大きさを変えることができる。
また、本発明の用時混合容器は、
前記成分収容ユニットに延設された前記内方折り返し部内に、
前記上部栓部材と前記下部栓部材とが嵌合係止され、さらに前記上部栓部材と前記下部栓部材の間に前記第１成分を収容するよう構成されていることが好ましい。
【００９０】
このように、内方折り返し部内に栓部材が嵌合係止されていれば、成分収容ユニットに延設された第１成分収容部に収容された第１成分と第２成分収容部に収容された第２成分とを、確実に隔離した状態とすることができる。
【００９１】
また、本発明の用時混合容器は、
前記成分収容ユニットに具備された前記内方折り返し部内に筒状部材が移動不能に設けられ、前記筒状部材内に、前記上部栓部材と前記下部栓部材とが嵌合係止され、さらに前記上部栓部材と前記下部栓部材の間に前記第１成分を収容するよう構成されていることが好ましい。
【００９２】
このように構成することによって、用時混合容器の組み立てに際して、予め筒状部材内に上部栓部材と下部栓部材とが嵌合係止され、さらに上部栓部材と下部栓部材との間に第１成分を収容した筒状部材を用意し、このような筒状部材を成分収容部の内方に延設された第１成分収容部に嵌合係止するだけとすることができる。
【００９３】
また、本発明の用時混合容器は、
前記成分収容ユニットの底部に、嵌着自在に底栓部材が設けられていることが好ましい。
【００９４】
このように構成することによって、成分収容ユニットの底部より底栓部材を取り外した際に成分収容ユニットの底部が大きく開かれることとなるため、用時混合容器に第１成分や第２成分を注入する際の作業を正確かつ確実に行うことができる。
【００９５】
また、成分収容ユニットの底部より底栓部材を取り外した際には、用時混合容器の内部の視認性が極めて良好であるため、成分注入作業時に用時混合容器内に第１成分や第２成分が確実に注入されているかを容易に確認することができる。
【００９６】
また、本発明の用時混合容器は、
前記底栓部材の中央部に、前記栓部材を収容する栓部材収容凹部が形成されていることが好ましい。
【００９７】
このように構成することによって、栓部材の形状にあわせて、栓部材収容凹部の形状を変えることが容易となり、様々な形状の栓部材を確実に底栓部材の中央部に形成された栓部材収容凹部に収容することができる。
【００９８】
また、本発明の用時混合容器は、
前記容器本体部分を、前記成分収容ユニットの上口部に沿って前記成分収容ユニット方向に移動させた最終位置において、
前記成分収容ユニットの上口部から離脱され、前記成分収容ユニットの底部に形成され
た前記栓部材収容凹部に収容された前記上部栓部材と前記下部栓部材とが確実に移動不能となるよう、前記延設部の下端部が前記上部栓部材に当接するように構成されていることが好ましい。
【００９９】
このように構成することによって、容器本体部分を、成分収容部の口部に沿って、成分収容ユニット方向に移動させ、混合が終了した最終位置において、容器本体部分に延設された延設部の下端が上部栓部材の上面に当接するため、成分収容ユニットから離脱され、成分収容部の底部に設けられた栓部材収容凹部に、上部栓部材と下部栓部材とを栓部材収容凹部の底面にしっかりと当接される位置まで移動させることができる。
【０１００】
また、本発明の用時混合容器は、
前記容器本体部分を、前記成分収容ユニットの上口部に沿って前記成分収容部方向に移動させた際において、
前記成分収容ユニット内の前記第１成分収容部内に収容された第１成分と前記第２成分収容部内に収容された第２成分とが互いに混合し合うように、
前記延設部の下端部に、流通開口部が設けられていることが好ましい。
【０１０１】
このように構成することによって、容器本体部分を、成分収容ユニットの口部に沿って、成分収容ユニット方向に移動させ、混合が終了した最終位置において、延設部の下端が上部栓部材の上面に当接した状態において、延設部の下端部に形成された流通開口部が混合成分の流通路を構成して、確実に混合成分を噴射することができる。
【０１０２】
また、本発明の用時混合容器は、
前記上部栓部材と前記下部栓部材とを重ね合わせた形状と前記栓部材収容凹部とが、略同形状であることが好ましい。
【０１０３】
このように構成することによって、上部栓部材と下部栓部材とを栓部材収容凹部に確実に嵌合することができる。
このため、成分収容ユニット内の第１成分と第２成分との混合成分を混合成分吸い上げ管を介して用時混合容器外へ噴射する際において、上部栓部材および下部栓部材が邪魔になることがなく、確実でしかも全量の混合成分を使用することができる。
【０１０４】
また、本発明の用時混合容器は、
前記上部栓部材が、上面にテーパー状凹部を備えることが好ましい。
このように構成することによって、第１成分と第２成分との混合成分が、スプレー部材の下方に延設された混合栓分吸い上げ管の真下付近集まるようになるため、混合成分を混合成分吸い上げ管を介して用時混合容器外へ噴射する際において全量の混合成分を使用することができる。
【０１０５】
また、本発明の用時混合容器は、
前記上部栓部材と前記下部栓部材とを前記栓部材収容凹部に収容された状態において、
前記栓部材収容凹部の端部に、前記上部栓部材の端部から略同一形状の凹部を形成するようテーパー状部が形成されていることが好ましい。
【０１０６】
このように構成することによって、成分収容部ユニットの第１成分と第２成分との混合成分を確実に成分収容ユニットの中心部分に集めることができるため、使用に際して、混合成分を全量使用することができる。
【０１０７】
なお、この際栓部材収容凹部の端部に形成されたテーパー状部は、用時混合容器の上部に向かって広がる形状とすることが好ましい。
さらに、テーパー状部は、栓部材収容凹部に収容された上部栓部材の最上面と略同一位置より形成されるか、若干高い位置より形成させることが好ましい。
【０１０８】
また、本発明の用時混合容器は、
前記容器本体部分を、前記成分収容ユニットの上口部に沿って前記成分収容ユニット方向に移動させた最終位置において、
前記上部栓部材と前記下部栓部材とが前記栓部材収容凹部に収容され、
前記栓部材収容凹部内に流入された前記第１成分と前記第２成分との混合成分が、前記栓部材収容凹部に収容された前記上部栓部材より上方へ確実に押し上げられるよう、前記栓部材収容凹部の壁面に、混合成分流通溝部が形成されていることが好ましい。
【０１０９】
このように栓部材収容凹部の壁面に、混合成分流通溝部を形成すれば、容器本体部分を成分収容ユニットの上口部に沿って成分収容ユニット方向に移動させた最終位置において、上部栓部材と下部栓部材とが栓部材収容凹部に収容された場合に、栓部材と栓部材収容凹部との間に局所的に隙間が形成されるため、栓部材収容凹部内に流入された第１成分と第２成分との混合成分が栓部材収容凹部の外方に全て追い出される前に上部栓部材と下部栓部材とで栓部材収容凹部を塞いでしまうことを防止することができる。
【０１１０】
また、本発明の用時混合容器は、
前記容器本体部分の底口部と前記成分収容ユニットの底口部との間の外周に、
使用開始前に前記容器本体部分が前記成分収容ユニットの上口部に沿って、前記成分収容ユニット方向に移動することを防止するストッパー部材が着脱自在に設けられていることが好ましい。
【０１１１】
このように構成することによって、ストッパー部材を取り外さない限り、誤って容器本体部分を、成分収容ユニットの口部に沿って、成分収容ユニット方向に移動させることができないので、誤って第１成分と第２成分の混合成分を噴射するおそれがない。
【０１１２】
しかも、ストッパー部材を取り外した後には、ストッパー部材がないことを視認できるので、既に第１成分と第２成分の混合が行われ、使用可能状態であることを使用者が認識することができ、使用に際して便利である。
【０１１３】
また、本発明の用時混合容器は、
前記スプレー部材を上口部に装着した前記容器本体部分の外方に、
着脱自在に装着されたキャップが備えられていることが好ましい。
【０１１４】
このように、容器本体部分の上口部に着脱自在に装着されたキャップを装着することによって、使用開始前、不使用時にスプレー部材のノズル開口部が汚染するのを防止できるとともに、使用開始後において、不使用時に誤って混合成分を噴射することを防止することができる。
【発明の効果】
【０１１５】
本発明によれば、使用開始前の保存時、流通時、販売時などから、第１成分と第２成分とを予め混合しない状態で容器本体内に一体的に組み込んだまま、しかもコンパクトな構造で最終ユーザーまで提供することができる。
【０１１６】
これにより、最終ユーザーが使用時に異なるものを組み付けたり、一方の成分が組付けられていない状態での誤使用がなく、一方の成分が固体あるいは粉粒体であるとしても、混合時に混合成分の略全量が栓部材の上方に押し上げられるので、固体、粉粒体成分を他方の液体成分中に確実に溶解させることが可能で、さらには異音などの発生もない。
【０１１７】
また、一連の混合操作を行わなければ、第１成分と第２成分との混合成分を噴射できない構造であるので、誤って混合成分を噴射させてしまうようなことはない。
さらに、第１成分用の容器と第２成分用の容器とに分かれていないため、安価で、かつ構造がコンパクトである。
【０１１８】
また、混合される第１成分と第２成分との混合成分は、混合時に栓部材より上方に押し上げられるので、略全量の混合成分を使用することができる。
【発明を実施するための最良の形態】
【０１１９】
以下、図面を参照しながら本発明の実施例について説明する。
図１〜図９は本発明の第１の実施例に係る用時混合容器を示したものである。
なお、本明細書において、「上」、「下」、「底」などは説明の都合上、便宜的につけたもので、図１の状態においてキャップ９０側を「上」、第２成分収容部３０側を「下」あるいは「底」側としている。
【０１２０】
図１（Ａ）に示したように、用時混合容器１は全体が略円筒状で、スプレー部材７０の外方にキャップ９０が装着された状態で保存あるいは移送され、販売されている。
この用時混合容器１は、図２にも示したように、スプレー部材７０の外方を覆うキャップ９０と、キャップ９０が着脱自在に装着される第１成分収容部１０と、第１成分収容部１０の下方に配置され、その上端側の上口部３２が第１成分収容部１０の底面内方に嵌合係止された第２成分収容部３０と、第１成分収容部１０の軸方向の移動を第２成分収容部３０の外周壁との間で案内する略筒状の第１成分案内部２０とが具備されている。
【０１２１】
なお、第１成分収容部１０と第１成分案内部２０とは一体成形によって成形されており、後述する用時混合容器１の実際の使用の際における第１成分Ａと第２成分Ｂとの混合の際に、第１成分収容部１０より第１成分案内部２０が切断されるようになっている。このため、第１成分収容部１０と第１成分案内部２０とは、同じ材質にて成形されており、第１成分収容部１０より第１成分案内部２０が切断される必要性を鑑みると好ましくはポリプロピレン（ＰＰ）より構成されると良い。
【０１２２】
また、第２成分収容部３０の上面側には第１成分Ａを漏洩なく貯留するための栓部材５０が配置され、第２成分収容部３０の下面側には第２成分Ｂを漏洩なく貯留するための底栓部材６０が着脱自在に装着されている。
【０１２３】
このような用時混合容器１では、例えば、第１成分Ａが液体、第２成分Ｂが粉粒体であり、これら第１成分Ａ、第２成分Ｂが予め収容されている。図１（Ａ）に示した状態から、第１成分収容部１０を第２成分案内部３０側に、すなわち下方に向かって移動させることにより、第１成分収容部１０の外周筒部１０ｃが、図１（Ｂ）に示したように、第１成分案内部２０の内方に収納されることにより、容器全体の高さが低くされるとともに、内部に予め収容された第１成分Ａと第２成分Ｂとの混合が行なわれる。
【０１２４】
また、図１（Ｃ）に示したように、キャップ９０を第１成分収容部１０から取り外し、スプレー部材７０の上部に形成された押部７６を指先などで下方に押し込むことによって、内方の混合成分を側方の噴射口７４から噴射させることができるようになっている。
【０１２５】
なお、キャップ９０の材質については特に限定されるものではないが、スプレー部材８０の噴射口７４の位置がキャップ９０装着時にも視認できるようポリスチレン（ＰＳ）、汎用ポリスチレン（ＧＰＰＳ）、ポリプロピレン（ＰＰ）などの材質を用い透明性を確保すると良い。
【０１２６】
上記スプレー部材７０は、図２に示したように、裾部が若干拡開された筒状の取付け部材７７を介して第１成分収容部１０の上口部１２に取り付けられている。
取付け部材７７の内周面には雌ネジ７８が形成され、かつ雌ネジ７８が形成された位置から内方に向かって内方フランジ７７ａが形成され、この内方フランジ７７ａによりスプレー部材７０の胴部が移動不能に保持されている。
【０１２７】
また、取付け部材７７の内周面に形成された雌ネジ７８が、第１成分収容部１０の上口部１２の雄ネジ１８に螺合されている。スプレー部材７０の下端側には、混合成分吸い上げ管７２が具備されている。
【０１２８】
なお、取付け部材７７の材質としてはポリプロピレン（ＰＰ）、また混合成分吸い上げ管７２の材質としては低密度ポリエチレン（ＬＤＰＥ）を用いると良い。
上記第１成分収容部１０は、下端側の壁面が二重環状で略筒状に形成されている。また、上口部１２から下方に向かって筒状の延設部１４が形成され、この延設部１４の内部に混合成分吸い上げ管７２が収納されている。
【０１２９】
延設部１４は先細りで内部に段付き孔１０ａが形成されるとともに、この段付き孔１０ａの大径側が上記上口部１２内に連通されている。延設部１４の下端部には、断面山形状のスペーサー部材８０が一体的に取付けられている。
【０１３０】
このスペーサー部材８０の内周面には、下方に向かってリブ８１が形成されている。
またスペーサー部材８０は、後述するように内方折り返し部３６との液密性（シール性）を確保するため、低密度ポリエチレン（ＬＤＰＥ）により成形されることが好ましい。
【０１３１】
上記第２成分収容部３０は、上端側の壁面が前記第１成分収容部１０と略同様に二重環状に形成されている。また、第２成分収容部３０は、第１成分収容部１０に対して相対的に移動可能に嵌合できるように、第１成分収容部１０に比べて径が細く形成されている。
【０１３２】
このような第２成分収容部３０は、粉剤などより成る第２成分Ｂが収容されるため、水蒸気透過性の低い高密度ポリエチレン（ＨＤＰＥ）またはポリプロピレン（ＰＰ）を用いると良い。
【０１３３】
また、第２成分収容部３０の上口部３２には、内方に向かって内方折り返し部３６が延設されている。さらに、この内方折り返し部３６を形成した内側壁の内周面には、所定間隔置きに上下方向のリブ８３が形成されている。
【０１３４】
一方、第２成分収容部３０の下口部３４には、外側に拡開した脚部３９が形成され、この脚部３９の裾部に第１成分案内部２０の下端が係止されている。
さらに、第２成分収容部３０の内方折り返し部３６内に、この内方折り返し部３６の内径よりも若干大きな外径を有する略駒形状の栓部材５０が配置され、この栓部材５０は、所定の力が上方から加えられた場合に、この内方折り返し部３６から離脱される。
【０１３５】
上記栓部材５０は、図３に示したように上下端部外周面にそれぞれ係合突起５２，５２が形成され、これにより内方折り返し部３６の内周面との係止力が向上されている。また、栓部材５０の上面には、ここに液溜まりができるようにテーパー状凹部５０ａが形成されている。また、栓部材５０の上面には、保存時、移送時などの使用開始前の状態において、前記スペーサー部材８０の下方に延びるリブ８１が当接した状態に配置される。
【０１３６】
栓部材５０は、弾性を有し注射剤などで一般的に用いられる塩素化ブチルゴム、防湿性
の高い熱可塑性エラストマー（ＴＰＥ）などの物質で形成されていることが好ましく、圧縮された状態で内方折り返し部３６に当接されることによって、第２成分収容部３０の上口部３２の開口が液密にシールされている。
【０１３７】
一方、第２成分収容部３０の下口部３４内には、断面略凹状の底栓部材６０が嵌合係止されている。底栓部材６０は第２成分収容部３０との嵌合により第２成分収容部３０内のシール性を確保しているが、底栓部材６０と第２成分収容部３０とが同材質より成るとシール性に難があるため、例えば第２成分収容部３０が高密度ポリエチレン（ＨＤＰＥ）よりなる場合には底栓部材６０はポリプロピレン（ＰＰ）よりなり、また第２成分収容部３０がポリプロピレン（ＰＰ）よりなる場合には底栓部材６０は高密度ポリエチレン（ＨＤＰＥ）とすれば確実にシール性を確保することができる。
【０１３８】
この底栓部材６０の上面側には、すり鉢状の栓部材収容凹部６２が形成され、栓部材収容凹部６２の内壁には所定間隔置きにリブ６３が形成されている。
このように形成された第１成分収容部１０と第２成分収容部３０とは、図３に拡大して示したように、二重環状の壁体部分を互いに一部ラップさせて組付けられる。このとき、第１成分収容部１０の下口部１３に設けられた雌爪部１９の上側に、第２成分収容部３０の上口部３２に設けられた雄爪部３８が配置される。
【０１３９】
このような組付けが行なわれることにより、第１成分収容部１０と第２成分収容部３０とが相対的に離反する方向に移動したときに、第１成分収容部１０と第２成分収容部３０との離脱が防止されている。
【０１４０】
また、第２成分収容部３０の二重壁の開口縁部３５は若干外方に拡開して形成され、これにより開口縁部３５が第１成分収容部１０の内周面１５に当接されることにより、移動時の姿勢が保持されている。
【０１４１】
また、底栓部材６０の栓部材収容凹部６２と上記栓部材５０の下面側の形状と略相補的形状に形成されている。さらに、栓部材収容凹部６２の上端側は、外方に拡開して形成され、ここにテーパー状の斜面６２ａが連続して形成されている。
【０１４２】
本実施例による用時混合容器１は、上記のように構成されているが、以下に、図４ないし図６を参照しながら、組付けと第１成分Ａ、第２成分Ｂの注入について説明する。
先ず、図４（Ａ）に示したように、一体成形された第１成分収容部１０と第１成分案内部２０とを用意する。さらに第１成分収容部１０の延設部１４内にスプレー部材７０の混合成分吸い上げ管７２を挿入し、取付け部材７７を介してキャップ９０を取付ける。また、スペーサー部材８０を第１成分収容部１０に一体的に取付ける。これらの組付けに定まった順序はなく、逆であっても良い。また、キャップ９０は、後の工程で取付けても良い。
【０１４３】
次に、図４（Ｂ）に示したように、第１成分注入ノズル９８を第１成分案内部２０側から挿入し、ノズルの先端を第１成分収容部１０内に臨ませるとともに、この状態から図４（Ｃ）に示したように、例えば、液体状の第１成分Ａを所定量注入する。これにより、第１成分収容部１０内に第１成分Ａが収容された第１成分収容ユニット２が構成される。
【０１４４】
他方、図５（Ａ）に示したように、第２成分収容部３０の内方折り返し部３６内に栓部材５０が圧入された栓部材収容ユニット３を予め用意しておく。
そして、図５（Ａ）に示した栓部材収容ユニット３を、図４（Ｃ）に示した第１成分収容ユニット２内に装着する。
【０１４５】
このとき、第１成分収容部１０の二重環状の壁体部分と、第２成分収容部３０の二重環状の壁体部分とが互いに一部ラップされるとともにスペーサー部材８０と内方折り返し部３６とが係合し、図５（Ｂ）に示したように、第１成分収容ユニット２に対し栓部材収容ユニット３が組付けられる。これにより、第１成分Ａの注入と封止が完了する。
【０１４６】
次に、図６（Ａ）に示したように、第１成分案内部２０の開口部から第２成分注入ノズル９９を挿入し、例えば粉粒体状の第２成分Ｂを装填する。この第２成分Ｂは、例えば、栓部材５０上に落下し内方折り返し部３６の外方に散在した状態で収容される。
【０１４７】
その後、第２成分注入ノズル９９を取り出して、図６（Ｂ）に示したように、底栓部材６０を第２成分収容部２０の下口部３４内に嵌合係止させる。これにより、第２成分Ｂの注入と封止が完了する。この状態で、用時混合容器１は、保存、流通などが可能になる。
【０１４８】
そして、用時混合容器１の実際の使用に関しては、例えば、図６（Ｂ）の姿勢から天地を逆転させ、図７（Ａ）の状態とする。このとき、第１成分Ａは、第１成分収容部１０の下面側に集積され、スペーサー部材８０と内方折り返し部３６との係合、内周面１５とテーパー当接部３５との当接および栓部材５０により下方への流出が防止されている。
【０１４９】
また、第２成分Ｂは、底栓部材６０の栓部材収容凹部６２内に収容され、栓部材５０により上方への流出が防止されている。
その後、キャップ９０を取り外すかまたはキャップ９０を取り外さないまま、キャップ９０あるいは第１成分収容部１０の肩部１７などから力を加えて、第１成分収容部１０を第２成分収容部３０側に押し込むことにより、第１成分収容部１０より第１成分案内部２０が切断され図７（Ｂ）に示したように容器全体の背を低くするとともに、第１成分収容部１０の延設部１４の下方に取付けられたスペーサー部材８０のリブ８１により、栓部材５０を下方に押圧する。
【０１５０】
栓部材５０がスペーサー部材８０のリブ８１により所定長さ下方に押圧されると、栓部材５０は第２成分収容部３０のリブ８３に案内されながら下方に移動する。これにより、今まで第１成分Ａが貯留されていた部屋と、第２成分Ｂが貯留されていた部屋とが連通し、第１成分Ａが図７（Ｂ）に矢印で示した流通通路４を構成し、この流通通路４により結果として第１成分Ａと第２成分Ｂとが混合される。
【０１５１】
さらに、第１成分収容部１０が第２成分収容部３０に沿って下方向に案内されると、図７（Ｃ）に示したように、栓部材５０が底栓部材６０の栓部材収容凹部６２内に完全に落ち込むことになる。
【０１５２】
すると、今まで底栓部材６０の栓部材収容凹部６２内に貯留されていた粉粒体などの第２成分Ｂがこの空間から押し上げられ、結果として、栓部材５０の上面側に移動する。
すなわち、混合成分は、栓部材５０のテーパー状凹部５０ａを底面としてその上方側に貯留される。
【０１５３】
なお、底栓部材６０の栓部材収容凹部６２の内周面には、リブ６３が形成されているため、栓部材５０が落とし込まれてきたとしても、ガタツキのような不具合が発生することはない。
【０１５４】
また、リブ６３間の間隙により、液通路が形成されるので、混合成分の移動が積極的に行なわれる。このようにして、第１成分Ａと第２成分Ｂとの混合成分は、図８に拡大して示したように、吸い上げ管７２の下端開口の近傍に貯留される。この状態になれば、混合成分吸い上げ管７２の下端部開口から混合成分の吸い上げが可能になる。
【０１５５】
以後、図１（Ｃ）に示したように、キャップ９０を取り外した状態にしてからスプレー部材７０の押部７６を下方に向かって押し込めば、噴射口７４から混合成分が側方に向かって噴出される。
【０１５６】
このように本実施例によれば、予め第１成分Ａと第２成分Ｂとが一つの容器本体内に組み込まれた状態で出荷することができる。
したがって、一方の成分が組み込まれていない状態での使用など、ユーザー側の誤使用を防止することができる。
【０１５７】
また、第１成分収容部１０を第２成分収容部３０側に移動させて、第１成分Ａと第２成分Ｂとを混合させた後でなければ、噴射口７４からの噴出させることができない。
したがって、噴出されてくる溶液は確実に混合された溶液である。
【０１５８】
また、一方の第１成分Ａだけで使用されることもない。
さらに、吸い上げ管７２による混合成分の吸い上げに際して、リブ８１が栓部材５０を押圧するので、栓部材５０が吸い上げの邪魔になることもない。
【０１５９】
また、栓部材５０側に押し上げられた混合成分は、そのテーパー状凹部５０ａを中心として貯留されるので、略全量の混合成分を使用することができる。
さらに、用時混合容器１全体の形状は、出荷時から予め２液が収容された状態であるので、コンパクトな構造となる。
【０１６０】
以上、本発明の一実施例について説明したが、本発明は、上記実施例に何ら限定されるものではなく、種々の変形が可能である。
例えば、上記実施例では、第１成分収容部１０の延設部１４の下端にスペーサー部材８０を取付けているが、このスペーサー部材８０は必須のものではなく、延設部１４の下端部にこのような形状を一体的に設けても良い。
【０１６１】
また、出荷時、流通時などに不用意に２成分が混合されないように、第1成分収容部１
０の移動を規制するストッパー部材９５を第１成分収容部１０の外方に着脱自在に設けることもできる。
【０１６２】
ストッパー部材９５は、図９（Ａ），（Ｂ），（Ｃ）に示したように、第1成分収容部
１０の外周筒部１０ｃに着脱自在に取付けられる環状部材で構成することができ、例えば軸方向にスリットが形成され、側周面に操作用の取っ手９５ａが具備されたものである。
【０１６３】
このようにストッパー部材９５が第１部材収容部１０と第２部材収容部３０との継手部分に着脱自在に取付けられていれば、例えば、流通時などに第１成分収容部１０が不用意に移動して、第１成分Ａと第２成分Ｂとが混合してしまうことを防止できる。
【０１６４】
図１０および図１１は本発明に係る用時混合容器の第２の実施例を示したものである。以下、上記第１の実施例と同一要素は、同一符号を付して説明を省略する。
この第２の実施例に係る用時混合容器５では、上記第１の実施例で採用された第１成分案内部２０が使用されていない。
【０１６５】
そして、第１成分収容部１０と第２成分収容部３０との移動域に、ストッパー部材９５が直接組み込まれている。なおストッパー部材９５の材質は特に限定されるものではないが、一般的にポリプロピレン（ＰＰ）または高密度ポリエチレン（ＨＤＰＥ）を用いると良い。
【０１６６】
さらに、この第２の実施例による用時混合容器５では、第１成分収容部１０と第２成分収容部３０の構造が、上記第１の実施例と異なっており、外壁部分が二重環状に形成されていない。
【０１６７】
また、スペーサー部材８０も採用されていない。
すなわち、第２の実施例では、第２成分収容部３０の内方折り返し部３６に、直接、第１成分収容部１０の延設部１４が挿入され、ここに混合成分吸い上げ管７２が収容されている。
【０１６８】
そして、延設部１４と第１成分収容部１０の外周壁とにより、第２成分収容部３０の相対的な直線移動が案内されている。
また、第１成分収容部１０における延設部１４の下端部には、所定間隔置きにスリットが形成され、このスリットにより外方への流通開口部２９が構成されている。
【０１６９】
さらに、用時混合容器５では、図１０に示したように、内方折り返し部３６の下端部に栓部材５０が圧入されている。
これにより、栓部材５０の上側でかつ延設部１４の内周側に第１成分Ａが収容されている。なお、この栓部材５０の上面にも、前記実施例と同様にテーパー状凹部５０ａが形成されていても良い。
【０１７０】
さらに、底栓部材６０に形成された栓部材収容凹部６２は、栓部材５０の形状に対応して形成されている。そして、このような栓部材収容凹部６２の内周面には、軸方向に混合成分流通溝部４４が所定間隔置きに形成されている。
【０１７１】
このように形成された第２の実施例による用時混合容器５では、ストッパー部材９５を継手部分から取り外した後、キャップ９０あるいは第１成分収容部１０を図１０の状態から下方に押し下げれば、図１１に示したように、第１成分収容部１０の延設部１４の下端部が栓部材５０を押圧することにより、栓部材５０が下方に押し下げられる。
【０１７２】
すると、第１成分Ａは、第１成分収容部１０と内方折り返し部３６に形成された流通開口部２９を介して外方に流出され、第２成分Ｂと混合される。
なお、第１成分収容部１０と第２成分収容部３０の材質は、第１成分収容部１０と第２成分収容部３０との液密性（シール性）を確保する必要があるため、例えば第１成分収容部１０がポリプロピレン（ＰＰ）であれば第２成分収容部３０は高密度ポリエチレン（ＨＤＰＥ）とし、第１成分収容部１０と第２成分収容部３０とが同材質とならないように構成することが好ましい。さらに、第１成分収容部１０と第２成分収容部３０との材質が逆であっても良いことは当然のことである。
【０１７３】
また、延設部１４で押し下げられた栓部材５０は、下方に押し下げられた後、底栓部材６０の栓部材収容凹部６２内に落ち込むことになる。
これにより、図１１に示したようにこれまで栓部材収容凹部６２内に貯留されていた第２成分Ｂは、略全量が栓部材５０より上方側に追いやられる。
【０１７４】
したがって、第１成分Ａと第２成分Ｂとからなる全ての混合成分（Ａ＋Ｂ）が、混合成分吸い上げ管７２により吸入可能になる。
これにより、スプレー部材７０の押部７６を押し下げれば、噴射口７４から所定の混合成分が略全量噴出される。
【０１７５】
図１２および図１３は第３の実施例を示したものである。
この実施例による用時混合容器６では、２つの栓部材５０ｂ、５０ｃが使用されている。
【０１７６】
なお、これら２つの栓部材５０ｂ、５０ｃのうち、上部栓部材５０ｂの上面には、テーパー状凹部５０ａが形成されていることが好ましい。上部栓部材５０ｂ、下部栓部材５０ｃの材質は、上記栓部材５０と同様、塩素化ブチルゴム、エラストマーなど防湿性の高い材質を用いると良い。
【０１７７】
また、第１成分Ａは、延設部１４に移動可能に配置された第１成分収容部としての筒状部材５６内に収容され、第２成分Ｂはこの筒状部材５６の外方域に配置された第２成分収容部３０内に収容されている。
【０１７８】
なお、筒状部材５６は上端部にフランジ部を有し、このフランジ部により第２成分収容部３０の上口部３２に係止されている。
この用時混合容器６では、上記第１，第２実施例のように、延設部１４を備えた上側部材の内部には、第１成分Ａが収容されていない。この上側部材は、キャップ９０を装着し延設部１４を形成するための容器本体部５５を構成している。さらに、容器本体部５５の下方にストッパー部材９５が着脱自在に取付けられている。
【０１７９】
一方、容器本体部５５の下方側に、内部空間が封止される成分収容ユニット７が移動自在に設置されている。成分収容ユニット７は、容器本体部５５の延設部１４の外側に軸方向に移動自在に配置された筒状部材５６と、この筒状部材５６が一体的に組み込まれた第２成分収容部３０とから構成されている。
【０１８０】
そして、筒状部材５６内の上部側に上部栓部材５０ｂが収容され、筒状部材５６内の下端部に下部栓部材５０ｃが収容されている。このような上部栓部材５０ｂと下部栓部材５０ｃとの間に、第１成分Ａが収容されている。また、第２成分収容部３０の内方側であり、底面側に配置された底栓部材６０で囲まれる範囲に、第２成分Ｂが収容されている。
【０１８１】
筒状部材５６の材質としては、筒状部材５６内に第１成分Ａが収容されることから、防湿性の高い硝子、環状オレフィン（共）重合体（ＣＯＣ）、環状ポリオレフィン（共）重合体（ＣＯＰ）を用いると良く、第１成分Ａが湿度に対して特に安定性の低いビタミンなどであれば、硝子、アルミニウムを用いることにより確実に第１成分Ａの安定性を保つことができる。
【０１８２】
また、筒状部材５６内に第１成分Ａが収容されるため、容器本体部５５の材質については必ずしも防湿性が高い必要がなく、例えばポリプロピレン（ＰＰ）を用いることができる。
【０１８３】
さらに、底栓部材６０には、上部栓部材５０ｂと下部栓部材５０ｃとを重ねた状態で収容することができる栓部材収容凹部６２が形成されている。この栓部材収容凹部６２の内周面には、混合成分流通溝部４４が形成されている。
【０１８４】
このような構成からなる用時混合容器６では、外周のストッパー部材９５を取り外した後、キャップ９０または容器本体部５５を下方すなわち成分収容ユニット７側に押し下げると、先ず、延設部１４により上部栓部材５０ｂが下方に押し下げられる。
【０１８５】
これにより、上昇される第１成分Ａ内の液圧により、先ず下部栓部材５０ｃが内方折り返し部３６から離脱され、下方の底栓部材６０の栓部材収容凹部６２内に案内される。これと同期して、第１成分Ａが第２成分Ｂに混入される。
【０１８６】
さらに、延設部１４が下方に押し下げられると、図１３に示したように、上部栓部材５０ｂが下部栓部材５０ｃに追随して下方の底栓部材６０内に収容される。
このとき、混合成分は、上部栓部材５０ｂの上側に押しやられる。これにより、混合された略全ての混合成分の使用が可能になる。なお、底栓部材６０の内周面には、混合成分流通溝部４４が所定間隔置きに形成されているので、栓部材収容凹部６２の底面側に混合成分が滞留してしまうことが防止される。
【０１８７】
なお、この実施例でも、底栓部材６０内に上部栓部材５０ｂと下部栓部材５０ｃが収納された状態において、底栓部材６０の上面側に、テーパー状の斜面６２ａが連続して形成されることが好ましい。
【０１８８】
このようなテーパー状の斜面６２ａが形成されていれば、混合成分が中央部に滞留しやすくなる。
このよう構成された第３の実施例においても、上記第１，第２の実施例と略同様の作用効果を奏することができる。
【０１８９】
このように本発明によれば、第１成分Ａと第２成分Ｂがいずれも混合されなければ、スプレー部材７０の噴射口７４から液体成分を噴出することができないので、混合される前に一方の第１成分Ａのみを噴出してしまうような誤使用が生じることはない。
【０１９０】
また、予め第１成分Ａと第２成分Ｂとが分離された状態で一体的に組み込まれているので、構造をコンパクトにすることができる。さらに、栓部材５０、５０ｂ、５０ｃなどは、この形状に合致した底栓部材の収容部内に落ち込む構造なので使用中に異音などが生じることもない。
【０１９１】
さらに、混合された後の混合成分は、上位の栓部材の上側に押しやられるので、略全量を使用することが可能になる。
なお、本発明において、第１成分Ａ、Ｂは、少なくとも一方が液体であれば、残りの一方は、固体であっても液体であっても粉粒体であっても良い。
【０１９２】
このような用時混合容器は、経皮吸収や粘膜吸収による薬剤の塗布あるいは鼻穴内への混合物の噴射など、様々な用途に使用可能である。
【図面の簡単な説明】
【０１９３】
【図１】図１は本発明の一実施例に係る用時混合容器を示したもので、図１（Ａ）は、用時混合容器の使用開始前の状態を一部破断して示した正面図、図１（Ｂ）は、２成分を混合するために一方側を押し込んだときの一部破断正面図、図１（Ｃ）は、キャップを取り外した状態での正面図である。
【図２】図２は図１に示した用時混合容器の使用前の状態における断面図である。
【図３】図３は図２に示した第１成分収容部と第２成分収容部との嵌合部分を拡大して示した断面図である。
【図４】図４は図２に示した用時混合容器に、第１成分と第２成分を順次収容していく過程を示したもので、図４（Ａ）は第１成分を収容する前に第２成分収容部を取り外して上下逆転した姿勢の用時混合容器の断面図、図４（Ｂ）は第１成分を収容するための第１成分注入ノズルを差し込んだときの断面図、図４（Ｃ）は第１成分が収容された後の断面図である。
【図５】図５は第１成分を収容した後の第１成分収容部に、第２成分収容部を組み込むまでの過程を示すもので、図５（Ａ）は、予め第２成分収容部に栓部材を組み込んでなる栓部材収容ユニットが用意され、これが組み込まれる直前の状態を示す断面図、図５（Ｂ）は第２成分収容部が栓部材収容ユニットに組み込まれた後の状態を示す断面図である。
【図６】図６は図５（Ｂ）に示した栓部材収容ユニットに、第２成分を収容するまでの過程を示したもので、図６（Ａ）は、第２成分注入ノズルを挿入した状態の断面図、図６（Ｂ）は底栓部材を組み込んだ後の状態の断面図である。
【図７】図７は図６の姿勢から上下逆転させた姿勢とし、第１成分と第２成分とを混合させるまでの過程を示したもので、図７（Ａ）は使用開始直前の準備状態を示す断面図、図７（Ｂ）は第１成分と第２成分とを混合させたときの断面図、図７（Ｃ）は完全に混合されたときの断面図である。
【図８】図８は第１成分と第２成分との混合成分が収容された部分の拡大断面図である。
【図９】図９は図２に示した用時混合容器にストッパー部材を取付けた例を示したもので、図９（Ａ）は、使用開始前の断面図、図９（Ｂ）はストッパー部材を取り外した状態の断面図、図９（Ｃ）は第１成分と第２成分とを混合させたときの断面図である。
【図１０】図１０は本発明の第２の実施例に係る用時混合容器を示した断面図である。
【図１１】図１１は図１０に示した用時混合容器において、第１成分と第２成分とを混合させたときの断面図である。
【図１２】図１２は本発明の第３の実施例に係る用時混合容器を示した断面図である。
【図１３】図１３は、第３の実施例に係る用時混合容器の第１成分と第２成分とを混合させたときの断面図である。
【図１４】図１４は従来の用時混合容器の断面図である。
【符号の説明】
【０１９４】
１      用時混合容器
２      第１成分収容ユニット
３      栓部材収容ユニット
４      流通通路
５      用時混合容器
６      用時混合容器
７      成分収容ユニット
１０      第1成分収容部
１０ａ    段付き孔
１０ｃ    外周筒部
１２      上口部
１３      下口部
１４      延設部
１５      内周面
１７      肩部
１８      雄ネジ
１９      雌爪部
２０      第１成分案内部
２９      流通開口部
３０      第２成分収容部
３２      上口部
３４      下口部
３５      テーパー当接部
３５      開口縁部
３６      内方折り返し部
３８      雄爪部
３９      脚部
４４      混合成分流通溝部
５０      栓部材
５０ａ    テーパー状凹部
５０ｂ    上部栓部材
５０ｃ    下部栓部材
５２      係合突起
５５      容器本体部
５６      筒状部材
６０      底栓部材
６２      栓部材収容凹部
６２ａ    斜面
６３      リブ
７０      スプレー部材
７２      混合成分吸い上げ管
７４      噴射口
７６      押部
７７      取付け部材
７７ａ    内方フランジ
７８      雌ネジ
８０      スペーサー部材
８１      リブ
８３      リブ
９０      キャップ
９５      ストッパー部材
９５ａ    取っ手
９８      第１成分注入ノズル
９９      第２成分注入ノズル
Ａ      第１成分
Ｂ      第２成分
１００      用時混合容器
１０２      下部容器
１０４      口部
１０６      上部容器
１０８      栓体
１１０      吐出装置
１１６      上端開口部
ａ      固体成分
ｂ      液体成分
【図１】
2006335417.tif 000003
【図２】
2006335417.tif 000004
【図３】
2006335417.tif 000005
【図４】
2006335417.tif 000006
【図５】
2006335417.tif 000007
【図６】
2006335417.tif 000008
【図７】
2006335417.tif 000009
【図８】
2006335417.tif 000010
【図９】
2006335417.tif 000011
【図１０】
2006335417.tif 000012
【図１１】
2006335417.tif 000013
【図１２】
2006335417.tif 000014
【図１３】
2006335417.tif 000015
【図１４】
2006335417.tif 000016